(57)【要約】【課題】駐車ステーションに設置されているロック装置や車体に対する増強の必要性を低減できる電動アシスト自転車を提供する。【解決手段】電動アシスト自転車１には、車両が駐車ステーションに配置されているときに駐車ステーションに設置されているロック装置と連結するための被ロック部８ｄを有する。また、電動アシスト自転車１は、車両が駐車ステーションに配置されていることを検知できる装置を備える。電動モータは、車両が駐車ステーションに配置されているときに、その駆動が制限される。【選択図】図１
2015163497.tif 000002
【特許請求の範囲】
【請求項１】
乗員がペダルに加える踏力を補助するための電動モータと乗員の踏力に基づいて前記電動モータを制御するモータコントローラとを含む駆動ユニットと、
前記電動モータに供給するための電力を蓄えているバッテリと、
駐車ステーションに設置されているロック装置と連結するための被ロック部と、
車両が駐車ステーションに配置されていることを検知できる装置と、を備え
前記電動モータは、車両が駐車ステーションに配置されているときに、その駆動が制限される、
ことを特徴とする電動アシスト自転車。
【請求項２】
請求項１に記載の電動アシスト自転車において、
車両が駐車ステーションに配置されていることを検知するための前記装置は、前記被ロック部と駐車ステーションに設置されている前記ロック装置との連結を検知するセンサである、
ことを特徴とする電動アシスト自転車。
【請求項３】
請求項１に記載の電動アシスト自転車において、
車両が駐車ステーションに配置されていることを検知するための前記装置は、駐車ステーションに設けられている通信装置と通信する、車体又はバッテリに設けられている通信モジュールである、
ことを特徴とする電動アシスト自転車。
【請求項４】
請求項１乃至３のいずれかに記載の電動アシスト自転車において、
車両が駐車ステーションに配置されているときに、前記電動モータの駆動は前記モータコントローラにより制限される、
ことを特徴とする電動アシスト自転車。
【請求項５】
請求項１乃至３のいずれかに記載の電動アシスト自転車において、
車両が駐車ステーションに配置されているときに、前記バッテリから前記駆動ユニットへの電力供給が制限される、
ことを特徴とする電動アシスト自転車。
【請求項６】
請求項１乃至５のいずれかに記載の電動アシスト自転車において、
前記バッテリは車体に対して脱着可能であり、
車両が駐車ステーションに配置されたときに利用者にバッテリの取り外しを促す案内を発する通知装置を備える、
ことを特徴とする電動アシスト自転車。
【請求項７】
駐車ステーションに設置されるロック装置に連結される被ロック部を備える電動アシスト自転車に搭載するためのアシストシステムであって、
乗員がペダルに加える踏力を補助するための電動モータと、
乗員の踏力に基づいて電動モータを制御するモータコントローラと、
車両が駐車ステーションに配置されていることを検知するための装置と、を備え、
前記電動モータは、車両が駐車ステーションに配置されているときに、その駆動が制限される、
ことを特徴とする電動アシスト自転車のアシストシステム。
【発明の詳細な説明】
【技術分野】
【０００１】
本発明は、利用者に貸し出すための電動アシスト自転車とそのアシストシステムに関する。
【背景技術】
【０００２】
従来、乗員がペダルに加える踏力を補助する電動モータを備えている電動アシスト自転車が利用されている。下記特許文献１には、利用者に貸し出すための電動アシスト自転車と、その自転車が保管される駐車ステーションに設置されている、自転車のロック装置（特許文献１においてロッキングターミナルポスト）とが開示されている。特許文献１では、複数のロック装置が並んで配置されている。
【先行技術文献】
【特許文献】
【０００３】
【特許文献１】特開２００７−２２３５９３号公報
【発明の概要】
【発明が解決しようとする課題】
【０００４】
駐車ステーションでは隣り合う自転車の間隔が狭いため、自転車がロック装置に連結されている状態にもかかわらず、利用者が意図せずペダルに乗ってしまうことが考えられる。この場合、電動モータが駆動してしまうために、利用者がペダルに加えた力より大きな力がロック装置や車体に作用する。ロック装置や車体にそのような力に耐え得る構造を適用しようとすると、それらの製造コストの増大を招く可能性がある。
【０００５】
本発明の目的は、駐車ステーションに設置されているロック装置や車体に対する増強の必要性を低減できる電動アシスト自転車及びアシストシステムを提供することにある。
【課題を解決するための手段】
【０００６】
本発明に係る電動アシスト自転車は、乗員がペダルに加える踏力を補助するための電動モータと乗員の踏力に基づいて前記電動モータを制御するモータコントローラとを含む駆動ユニットを含む。また、電動アシスト自転車は、前記電動モータに供給するための電力を蓄えているバッテリと、駐車ステーションに設置されているロック装置と連結するための被ロック部と、車両が駐車ステーションに配置されていることを検知できる装置と、を備える。前記電動モータは、車両が駐車ステーションに配置されているときに、その駆動が制限される。
【０００７】
本発明に係るアシストシステムは、駐車ステーションに設置されるロック装置に連結される被ロック部を備える電動アシスト自転車に搭載するためのシステムである。前記アシストシステムは、乗員がペダルに加える踏力を補助するための電動モータと、乗員の踏力に基づいて電動モータを制御するモータコントローラと、車両が駐車ステーションに配置されていることを検知するための装置と、を備える。前記電動モータは、車両が駐車ステーションに配置されているときに、その駆動が制限される。
【０００８】
前記電動アシスト自転車及びアシストシステムによれば、車両が駐車ステーションに配置されているときに、電動モータの駆動に起因する大きな力がロック装置や車体に作用することを抑えることができる、その結果、それらに対する増強の必要性を低減できる。
【０００９】
本発明の一形態では、車両が駐車ステーションに配置されていることを検知するための前記装置は、前記被ロック部と駐車ステーションに設置されている前記ロック装置との連結を検知するセンサであってよい。本発明の他の形態では、車両が駐車ステーションに配置されていることを検知するための前記装置は、駐車ステーションに設けられている通信装置と通信する、車体又はバッテリに設けられている通信モジュールであってよい。
【００１０】
また、本発明の一形態では、車両が駐車ステーションに配置されているときに、前記電動モータの駆動は前記モータコントローラにより制限されてもよい。本発明の他の形態では、車両が駐車ステーションに配置されているときに、前記バッテリから前記駆動ユニットへの電力供給が制限されてもよい。
【００１１】
また、本発明の一形態では、前記バッテリは車体に対して脱着可能であり、利用者により車両が駐車ステーションに配置されたときに利用者にバッテリの取り外しを促す案内を発する通知装置を備えてもよい。これによれば、利用者がバッテリを車体に放置したまま、駐車ステーションを去ってしまうことを抑えることができる。
【図面の簡単な説明】
【００１２】
【図１】本発明の一実施形態に係る、駐車ステーションに配置されている電動アシスト自転車を示す図である。この図の（ａ）は側面図であり、（ｂ）は平面図である。
【図２】電動アシスト自転車が備えるアシストシステムの構成を示すブロック図である。
【図３】アシストシステムの他の例を示すブロック図である。
【発明を実施するための形態】
【００１３】
以下、本発明の一実施形態について図面を参照しながら説明する。図１は本発明の実施形態に係る、駐車ステーションに配置されている電動アシスト自転車１を示す図である。図１（ａ）は側面図であり、図１（ｂ）は平面図である。
【００１４】
図１（ａ）に示すように、電動アシスト自転車１はペダル２と、乗員がペダル２を踏むことにより回転するペダルクランク３とを有している。また、電動アシスト自転車１は乗員がペダル２に加える踏力をアシストするための電動モータ２２を有している。ペダル２からペダルクランク３に加えられるトルクと電動モータ２２のトルクの合力が後輪５に伝えられる。電動アシスト自転車の一例では、ペダルクランク３はチェーン６などの後輪５への動力伝達部材に連結され、電動モータ２２は減速機構を介して動力伝達部材に連結される。この場合、ペダルクランク３に加えられるトルクと電動モータ２２のトルクとが動力伝達部材において組み合わされる。動力伝達部材に伝えられた力は変速機構を介して後輪５に加えられる。ペダルクランク３から後輪５に至る動力伝達経路おける電動モータ２２の位置は、種々の変更が可能である。例えば、電動モータ２２は動力伝達経路において上述のチェーン６や変速機構よりも下流に配置されてもよい。この場合、電動モータ２２は例えば後輪５のハブ５ａに設けられてもよい。電動モータ２２は前輪４のハブに設けられてもよい。
【００１５】
電動アシスト自転車１は、電動モータ２２にその駆動電力を供給するためのバッテリ３０と、バッテリ３０が脱着可能なバッテリ収容部７とを有している。図１（ａ）に示す例では、バッテリ収容部７はハンドルステムを支持するヘッドパイプ８ａに固定されているが、その位置はこれに限られない。例えば、バッテリ収容部７はサドル９を支持するサドルポスト８ｂに固定されてもよい。
【００１６】
電動アシスト自転車１は予め登録された利用者に貸し出すための自転車である。図１（ｂ）に示されるように、複数の電動アシスト自転車１が街中に設置された駐車ステーションにおいて保管されている。一例では、バッテリ３０は個々の利用者によって所有され、利用者は自身が所有するバッテリ３０をバッテリ収容部７に設置することにより、電動アシスト自転車１を利用できる。
【００１７】
図１（ｂ）に示すように、駐車ステーションには複数のロック装置９０が設置されている。電動アシスト自転車１はロック装置９０に連結するための被ロック部８ｄを有している。ロック装置９０と被ロック部８ｄは、好ましくは、電動アシスト自転車１の位置及び姿勢が固定されるように構成される。被ロック部８ｄの一例は、図１（ｂ）に示すように、車体フレーム８（より具体的には、図１（ｂ）においてはヘッドパイプ８ａから後方かつ下方に斜めに伸びているチューブ８ｃ）から側方に伸びている。被ロック部８ｄはロック装置９０に形成されているロック部（受け部）９０ａに嵌められる。そして、被ロック部８ｄは、ロック部９０ａがその内部に有するロック機構によってロック（保持）される。電動アシスト自転車１のロック構造はこれに限られない。例えば、ロック装置９０はチェーンを有し、このチェーンを介して電動アシスト自転車１の前輪４や後輪５がロック装置９０に連結されてもよい。すなわち、前輪４や後輪５が被ロック部として利用されてもよい。
【００１８】
図２は電動アシスト自転車１が備えるアシストシステム１０の構成を示すブロック図である。アシストシステム１０は、上述の電動モータ２２を含む駆動ユニット２０と、バッテリ３０とを有している。
【００１９】
バッテリ３０は電動モータ２２に加える電力を蓄える複数のバッテリセルを含むバッテリ本体３１を有している。バッテリ３０はバッテリマネージメントコントローラ（ＢＭＣ）３２を有している。ＢＭＣ３２はマイクロプロセッサや、マイクロプロセッサで実行されるプログラムを有している。ＢＭＣ３２はバッテリ本体３１の状態（例えば、バッテリセルの電圧や、電流、温度）を監視したり、電流値と充放電時間とに基づいてバッテリ本体３１の残量を算出したりする。ＢＭＣ３２はバッテリ本体３１について取得した種々の情報（例えば、残量や充放電回数）をメモリに格納してもよい。また、ＢＭＣ３２はバッテリ本体３１の充放電を制御する。一例では、ＢＭＣ３２は、バッテリ本体３１への充電とバッテリ本体３１からの放電を制御するためのスイッチング素子を含む。
【００２０】
駆動ユニット２０は、電動モータ２２に加えて、モータコントローラ２１と、モータ駆動回路２３とを有している。モータコントローラ２１はマイクロプロセッサと、マイクロプロセッサが実行するプログラムが格納されているメモリとを有している。モータコントローラ２１は乗員がペダル２に加える踏力に基づいて電動モータ２２を制御する。
【００２１】
アシストシステム１０の一例は、図２に示すように、ペダルクランク３に加えられるトルクを検知するためのトルクセンサ２４Ａと、車速を検知するための車速センサ２４Ｂとを有している。車速センサ２４Ｂは例えば前輪４の回転速度に応じた信号を出力するが、後輪５の回転速度に応じた信号を出力してもよい。アシストシステム１０は、さらに電動モータ２２の回転速度を検知するためのモータ回転センサ２４Ｃと、ペダルクランク３の回転速度を検知するためのクランク回転センサ２４Ｄとを有している。
【００２２】
モータコントローラ２１は、これらのセンサから入力される信号に基づいて電動モータ２２を制御する。例えば、モータコントローラ２１は、車速センサ２４Ｂの出力信号とモータ回転センサ２４Ｃの出力信号とに基づいて、変速段（変速機構における変速比）を算出する。また、モータコントローラ２１は、トルクセンサ２４Ａの出力信号に基づいて乗員の踏力を検知し、クランク回転センサ２４Ｄの出力信号に基づいてペダルクランク３の回転速度を算出する。そして、モータコントローラ２１は、乗員の踏力と、変速段と、ペダルクランク３の回転速度とに基づいて、電動モータ２２が出力すべきトルク（補助力）を算出する。換言すると、モータコントローラ２１はモータ駆動回路２３が電動モータ２２に加える電流の指令値を算出する。モータ駆動回路２３はバッテリ３０から電力を受け、モータコントローラ２１からの指令値に応じた電流を電動モータ２２に供給する。バッテリ３０と駆動ユニット２０のそれぞれは、バッテリ本体３１の電力をモータ駆動回路２３に供給するためのコネクタ（不図示）を有している。さらに、バッテリ３０と駆動ユニット２０のそれぞれは、ＢＭＣ３２とモータコントローラ２１との通信に利用される通信インターフェース（不図示）も有している。
【００２３】
本実施形態では、アシストシステム１０は、図２に示すように、電動アシスト自転車１が駐車ステーションに配置されていることを検知できる装置１５を有している（以下ではこの装置を駐車検知装置と称する）。電動モータ２２は、電動アシスト自転車１が駐車ステーションに配置されているときに、その駆動が制限される。好ましくは、車両が駐車ステーションに配置されているときに、電動モータ２２の駆動が禁止される（出力トルクが０とされる）。こうすることにより、電動アシスト自転車１がロック装置９０に連結されている状態で利用者が自転車に試乗したり、ペダルに乗ったりした場合でも、電動モータ２２の駆動に起因する大きな力がロック装置９０や車体に作用することを抑えることができる。なお、電動アシスト自転車１が駐車ステーションに配置されているときには、車両が駐車ステーションに配置されていないときよりも、電動モータ２２に許容される最大トルクが低く設定されるだけでもよい。
【００２４】
駐車検知装置１５の一例は電動アシスト自転車１の被ロック部８ｄに設けられるセンサである。この場合、被ロック部８ｄがロック装置９０のロック機構によってロックされたときに、或いは、被ロック部８ｄがロック部９０ａに嵌まっているときに、駐車検知装置１５はそれを示す信号をモータコントローラ２１に入力する。
【００２５】
駐車検知装置１５は非接触式センサでもよいし、接触式センサでもよい。非接触式センサとしては、例えば、リードスイッチや、ホールＩＣ、光電センサ、磁気誘導型或いは静電容量型の近接センサなどを用いることができる。また、接触式センサとしては、ロック装置９０に設けられたロック機構によって押下されるスイッチでもよいし、ロック機構に設けられた接点に接触することによりショートする回路でもよい。
【００２６】
駐車検知装置１５の位置は被ロック部８ｄに限られない。例えば、駐車検知装置１５は車体の底部に設けられてもよい。この場合、駐車ステーションの地面に検知対象が埋め込まれていてもよい。この場合の駐車検知装置１５としては非接触式センサ（例えば、駐車ステーションの地面に設けられている磁石と反応するホールＩＣや磁気誘導型の近接センサ）を用いることができる。このような駐車検知装置１５を利用する場合、電動アシスト自転車１が駐車ステーションにある場合には、車体がロック装置９０に未だロックされていない状態にあっても、車両が駐車ステーションにあることを示す信号がモータコントローラ２１に入力される。後において説明するように、駐車検知装置１５の信号はＢＭＣ３２に入力されてもよい。
【００２７】
駐車検知装置１５の他の例は、駐車ステーションに設置された通信装置と通信可能な通信モジュールである。通信としては近距離無線通信や有線通信を利用できる。近距離無線通信が利用される場合、例えば、駐車ステーション側の通信装置が所定の信号を発信する（以下では、駐車ステーション側の通信装置が発信する信号をステーション信号と称する）。そして、駐車検知装置１５が駐車ステーション側の通信装置からステーション信号を受信すると、駐車検知装置１５はその旨を表す信号をモータコントローラ２１に入力する。
【００２８】
近距離無線通信を利用する場合、駐車検知装置１５として機能する通信モジュールは、電動アシスト自転車１がロック装置９０に連結されているときに駐車ステーション側の通信装置と通信可能な位置に取り付けられる。一例では、駐車検知装置１５は電動アシスト自転車１の被ロック部８ｄに設けられ、駐車ステーション側の通信装置はロック装置９０に設けられる。駐車検知装置１５は被ロック部８ｄとは異なる場所に設けられていてもよい。駐車ステーション側の通信装置もロック装置９０とは異なる位置に設けれてもよい。通信のプロトコルとしては種々のものが利用できる。通信のプロトコルは、駐車検知装置１５の車体への取付位置と、駐車ステーション側の通信装置の位置との距離などを考慮して適宜選択されてよい。
【００２９】
有線通信を利用する場合、通信モジュールである駐車検知装置１５は、例えば被ロック部８ｄに設けられている端子と接続される。ロック装置９０の通信装置は、被ロック部８ｄの端子と接続するための端子が設けられる。
【００３０】
駐車検知装置１５として通信モジュールが利用される場合、駐車検知装置１５は上述のステーション信号を受信するだけでなく、電動アシスト自転車１やバッテリ３０に関する種々の情報をステーション側の通信装置との間で送受信してもよい。本実施形態の電動アシスト自転車１は利用者に貸し出すための自転車である。例えば、複数の電動アシスト自転車１のそれぞれの利用状況を管理するために固有のＩＤ情報が各電動アシスト自転車１に付与されている場合には、駐車検知装置１５と駐車ステーション側の通信装置との間で、そのＩＤ情報が送受信されてもよい。また、利用者が所有しているバッテリ３０に固有のＩＤ情報が付与されている場合には、モータコントローラ２１はＢＭＣ３２からそのＩＤ情報を取得し、駐車検知装置１５と駐車ステーション側の通信装置との間でＩＤ情報が送受信されてもよい。さらに、ＢＭＣ３２のメモリにバッテリ３０の充放電回数や使用時間、故障情報が格納されている場合には、モータコントローラ２１はＢＭＣ３２からそれらの情報を取得し、駐車ステーション側の通信装置に送信してもよい。駐車ステーション側の通信装置が受信した各種情報は、例えば駐車ステーションを管理するホスト装置に送信される。なお、このような形態で駐車検知装置１５が利用される場合には、駐車検知装置１５の位置とロック装置９０に設けられている通信装置の位置は、別のロック装置９０の通信装置と駐車検知装置１５との間での通信が生じにくい、すなわち混線が生じにくい位置が望ましい。
【００３１】
上述したように、モータコントローラ２１は、駐車検知装置１５から入力される信号に基づいて車両が駐車ステーションに配置されていることを検知した場合、電動モータ２２の駆動を制限する。
【００３２】
図２に示す例のモータコントローラ２１は、駐車判定部２１ａと、モータ制御部２１ｂとを有している。これらは、モータコントローラ２１のマイクロプロセッサがメモリに格納されているプログラムを実行することにより実現される。
【００３３】
駐車判定部２１ａは駐車検知装置１５から入力される信号に基づいて車両が駐車ステーションに配置されているか否かを判断する。より具体的には、駐車検知装置１５が被ロック部８ｄに取り付けられているセンサである場合、駐車判定部２１ａは駐車検知装置１５の信号に基づいて車体がロック装置９０によってロックされているか否かを判断する。駐車検知装置１５が上述の通信モジュールである場合、上述のステーション信号を駐車検知装置１５が受信しているか否かを示す信号に基づいて、駐車判定部２１ａは車両が駐車ステーションに配置されているか否かを判断する。
【００３４】
車両が駐車ステーションに配置されていると駐車判定部２１ａが判断した場合、電動モータ２２の駆動が制限される。電動モータ２２の駆動制限は種々の方法により行うことができる。一例では、モータ制御部２１ｂが、モータ駆動回路２３への電流指令値として、電動モータ２２が出力するトルクが０になる値を出力する。車両が駐車ステーションに配置されていないと駐車判定部２１ａが判断した場合には、モータ制御部２１ｂは電動モータ２２の駆動制限を解除し、乗員の踏力や変速段に基づく上述した電動モータ２２の制御を実行する。
【００３５】
他の例では、駐車判定部２１ａは車両が駐車ステーションに配置されていると判断した場合、その旨の信号をＢＭＣ３２に送信する。そして、ＢＭＣ３２はバッテリ本体３１からモータ駆動回路２３への電力供給（バッテリ本体３１の放電）を停止する。ＢＭＣ３２は、そのような信号を受信していない場合に、バッテリ本体３１からモータ駆動回路２３への電力供給を許容する。駐車判定部２１ａは、車両が駐車ステーションに配置されていないと判断した場合には、その旨を示す情報をＢＭＣ３２に送信してもよい。
【００３６】
アシストシステム１０の一例は、図２に示すように、モータコントローラ２１に接続されている通知装置２４Ｅを有している。通知装置２４Ｅは利用者に対して種々の通知を発するための装置であり、モータコントローラ２１は通知装置２４Ｅを制御する通知制御部２１ｃを有している。
【００３７】
上述したように、ここで説明する例では、電動アシスト自転車１は予め登録された利用者に対して貸し出すための自転車である。バッテリ３０は利用者に所有される。一例では、電動アシスト自転車１が利用者によって駐車ステーションに配置されたとき（電動アシスト自転車１が返却されたとき）、通知制御部２１ｃはバッテリ３０の車体からの取り外しを促す案内を通知装置２４Ｅを通して利用者に発する（以下においてこの案内を、バッテリ取外案内通知と称する）。こうすることにより、利用者がバッテリ３０を車体に放置したまま駐車ステーションから去ることを抑えることができる。通知制御部２１ｃは駐車検知装置１５の信号に基づいて車両が返却されたか否かを判断し、車両が返却された場合にバッテリ取外案内通知を発する。また、通知制御部２１ｃは、車両が返却され且つバッテリ３０が車体に搭載されている場合に、バッテリ取外案内通知を発してもよい。
【００３８】
通知装置２４Ｅの一例は音声発生装置とその駆動回路である。この場合、通知装置２４Ｅは、利用者によって電動アシスト自転車１が駐車ステーションに配置されたときに、所定の音声をバッテリ取外案内通知として発する。所定の音声は、例えば、バッテリ３０を車体から取り外すことを促す音声メッセージやビープ音などである。また、通知装置２４Ｅの他の例は、表示画面やＬＥＤなどのインジケータとその駆動回路である。この場合、通知装置２４Ｅ、電動アシスト自転車１の返却時に所定のメッセージを表示したり、所定の態様で点灯したりする。
【００３９】
図３はアシストシステム１０の変形例を示す図である。この図では、これまで説明した箇所と同一装置には同一符合を付している。
【００４０】
図３に示すアシストシステム１１０では、駐車検知装置１５の信号はＢＭＣ３２に入力される。この例においても、駐車検知装置１５としては、電動アシスト自転車１の被ロック部８ｄに設けられるセンサや、駐車ステーションに設けられている通信装置と通信可能な通信モジュールを利用できる。
【００４１】
図３の例では、ＢＭＣ３２は駐車判定部３２ａと放電制御部３２ｂとを有している。これらは、ＢＭＣ３２のマイクロプロセッサがメモリに格納されているプログラムを実行することにより実現される。
【００４２】
駐車判定部３２ａは、上述の駐車判定部２１ａと同様に、駐車検知装置１５から入力される信号に基づいて車両が駐車ステーションに配置されているか否かを判断する。一例では、車両が駐車ステーションに配置されていると判断された場合、放電制御部３２ｂはバッテリ本体３１からモータ駆動回路２３への電力供給（バッテリ本体３１の放電）を停止する。車両が駐車ステーションに配置されていないと駐車判定部３２ａが判断した場合に、放電制御部３２ｂはバッテリ本体３１からモータ駆動回路２３への電力供給を許容する。
【００４３】
他の例としては、モータコントローラ２１がバッテリ３０からの電力によって駆動している場合（すなわち、バッテリ３０がモータコントローラ２１の電源である場合）、放電制御部３２ｂはモータコントローラ２１への電力供給を停止してもよい。これによれば、モータコントローラ２１の駆動が停止する結果、電動モータ２２の駆動も停止する。放電制御部３２ｂは、車両が駐車ステーションに配置されていないと判断された場合に、モータコントローラ２１へ電力を供給する。その結果、モータコントローラ２１は、乗員の踏力や変速段に基づく上述した電動モータ２２の制御を実行できるようになる。
【００４４】
さらに他の例では、駐車判定部３２ａは車両が駐車ステーションに配置されていると判断した場合、その旨の信号をモータコントローラ２１に送信してもよい。この場合、モータコントローラ２１が電動モータ２２の駆動を制限する。
【００４５】
アシストシステム１１０において、駐車検知装置１５として通信モジュールが利用される場合、アシストシステム１０と同様に、駐車検知装置１５は、電動アシスト自転車１やバッテリ３０に関する種々の情報をステーション側の通信装置との間で送受信してもよい。
【００４６】
以上説明したように、電動アシスト自転車１は、乗員がペダルに加える踏力を補助するための電動モータ２２と乗員の踏力に基づいて電動モータ２２を制御するモータコントローラ２１とを含む駆動ユニット２０を有している。また、電動アシスト自転車１は、電動モータ２２に供給するための電力を蓄えているバッテリ３０と、駐車ステーションに設置されているロック装置９０と連結するための被ロック部８ｄと、車両が駐車ステーションに配置されていることを検知できる装置１５とを備えている。電動モータ２２は、車両が駐車ステーションに配置されているときに、その駆動が制限される。これにより、車両が駐車ステーションに配置されているときに、電動モータ２２の駆動に起因する大きな力がロック装置９０や車体に作用することを抑えることができる。その結果、ロック装置９０や電動アシスト自転車１の車体に対する増強の必要性を低減できる。
【００４７】
本発明は、以上説明した電動アシスト自転車１やアシストシステム１０、１１０に限られず、種々の変更がなされてもよい。
【００４８】
例えば、電動アシスト自転車１には、駐車ステーション以外の場所で車体の移動を規制するための機構が設けられてもよい。例えば、電動アシスト自転車１には、チェーンやワイヤーの端部が脱着可能なロック機構が設けられていてもよい。こうすることにより、自身が借りている電動アシスト自転車１から利用者が一時的に離れるときに、チェーンやワイヤーをその場所に設置されている電柱などの公共物に掛けて、チェーンやワイヤーをロック機構に固定することにより、電動アシスト自転車１をその場所に固定できる。電動アシスト自転車１がこのようなロック機構を有する場合、そのロック機構の作動を検知するセンサが車体に設けられてもよい。そして、そのようなロック機構が作動している場合、電動モータ２２の駆動が制限されてもよい。
【符号の説明】
【００４９】
１  電動アシスト自転車、７  バッテリ収容部、８ｄ  被ロック部、１０  アシストシステム、１５  通車検知装置、２０  駆動ユニット、２１  モータコントローラ、２２  電動モータ、２４Ｅ  通知装置、３０  バッテリ、３２  バッテリマネージメントコントローラ、９０  ロック装置、１０，１１０  アシストシステム。
【図１】
2015163497.tif 000003
【図２】
2015163497.tif 000004
【図３】
2015163497.tif 000005